(57)【要約】【課題】パネル水槽用の部材搬送を、効率的に行うことの可能なパネル水槽用架台、パネル水槽設置構造、及び、パネル水槽用部材搬送構造を提供する。【解決手段】パネル水槽用架台１０は、略四角形の枠形状とされており、ベース部材１２、及び、支持部材１５を備えている。支持部材１５は、立上部１４及び支持部１６を備えている。立上部１４は、ベース部材１２と直交して基準面Ｇから立ち上がるように配置されている。支持部１６は、支持部１６Ａ、及び、支持部１６Ｂを備え、立上部１４の上部に配置され、四角形の枠形状を構成している。支持部１６Ｂと基準面Ｇとの間には、フォークリフトのフォークＦを差し込み可能な差込口１８が構成されている。【選択図】図１
2011111226.tif 000002
【特許請求の範囲】
【請求項１】
複数のパネル部材を接合して形成されるパネル水槽を支持するパネル水槽用架台であって、
基準面上に配置されるベース部材と、
前記ベース部材から立ち上がる立上部と、前記立上部の上に配置され前記パネル水槽の底部の少なくとも外周下端辺を支持する支持面を有すると共に、前記基準面との間にフォークリフトのフォークを差し込み可能な空間を構成し、前記フォークによって支持される被支持部を有する支持部材と、
を備えた、パネル水槽用架台。
【請求項２】
互いに隣り合う前記パネル部材で構成される側角部に沿って配置して前記隣り合うパネル部材同士を接合する角部接合部材を、前記支持面の外周端辺に沿って取り外し可能に取り付ける端辺取付部材、を備えたことを特徴とする、請求項１に記載のパネル水槽用架台。
【請求項３】
前記角部接合部材は、互いに直交する２面を有する山型鋼で構成され、前記角部接合部材の一方面が前記支持面と向き合い、他方面が前記支持面から立ち上がって側壁を構成する配置となるように、前記端辺取付部材によって前記支持部材に取り付けられ、
前記側壁に囲まれた内側には、前記パネル部材を積層収納可能な収納空間が構成されていること、を特徴とする請求項２に記載のパネル水槽用架台。
【請求項４】
請求項１〜３のいずれか１項に記載のパネル水槽用架台と、
前記パネル水槽用架台上に支持され、複数のパネル部材を接合して形成されたパネル水槽と、
を備えたパネル水槽設置構造。
【請求項５】
複数のパネル部材を接合して形成されるパネル水槽用の部材、及び、前記パネル水槽を支持するパネル水槽用架台、を搬送するパネル水槽用部材搬送構造であって、
基準面上に配置されるベース部材と、前記ベース部から立ち上がる立上部と、前記立上部の上に配置され前記パネル水槽の底部の少なくとも外周下端辺を支持する支持面を有すると共に、前記基準面との間にフォークリフトのフォークを差し込み可能な空間を構成し、前記フォークによって支持される被支持部を有する支持部材と、を備えたパネル水槽用架台と、
前記パネル水槽用架台の前記支持部材上に積層された前記複数のパネル部材と、
前記積層された複数のパネル間に収納された水槽用部品と、
前記支持部材の上面の外周端辺に沿って取り外し可能に取り付けられた、互いに隣り合う前記パネル部材同士を接合するための角部接合部材と、
を備えた、パネル水槽用部材搬送構造。
【発明の詳細な説明】
【技術分野】
【０００１】
本発明は、複数のパネル部材を接合して形成されるパネル水槽を支持するパネル水槽用架台、このパネル水槽用架台を備えたパネル水槽設置構造、及び、このパネル水槽用架台を備えたパネル水槽用部材搬送構造に関する。
【背景技術】
【０００２】
従来より、貯水用に複数のパネル部材を接合して形成されるパネル水槽が知られている（特許文献１参照）。パネル水槽は、パネル部材、組み立て用の部品などを、予め製造しておき、これらの部材を設置場所へ搬送して、組み立てられている。
【０００３】
ところで、パネル水槽を構成するための前述の部材は、通常、倉庫に保管されており、必要に応じて現場へ搬送される。搬送の際には、フォークリフトでの荷積み／荷降ろしを行うことができるように、いわゆるパレット上に載せられて搬送が行われている。このように、搬送用にパレットを用いた場合、設置現場でパレットが不要となり、廃棄処分が必要となってしまう。
【０００４】
また、パネル水槽を設置するための架台については、パネル水槽とは別に製造されて設置現場へ搬送されることが通常であった。
【先行技術文献】
【特許文献】
【０００５】
【特許文献１】特開２００１−１９９４９９号公報
【発明の概要】
【発明が解決しようとする課題】
【０００６】
本発明は、上記事実を考慮してなされたものであり、パネル水槽用の部材搬送を、効率的に行うことの可能なパネル水槽用架台、パネル水槽設置構造、及び、パネル水槽用部材搬送構造を提供することを目的とする。
【課題を解決するための手段】
【０００７】
請求項１に記載する本発明のパネル水槽用架台は、複数のパネル部材を接合して形成されるパネル水槽を支持するパネル水槽用架台であって、基準面上に配置されるベース部材と、前記ベース部材から立ち上がる立上部材と、前記立上部の上に配置され前記パネル水槽の底部の少なくとも外周下端辺を支持する支持面を有すると共に、前記基準面との間にフォークリフトのフォークを差し込み可能な空間を構成し、前記フォークによって支持される被支持部を有する支持部材と、を備えている。
【０００８】
本発明のパネル水槽用架台は、フォークリフトのフォークを差し込み可能な差込口が構成されており、支持部材はフォークによって支持される被支持部を有している。したがって、フォークを前記空間に差し込み、被支持部をフォークで支持することにより、パネル水槽用架台をパレットとして利用でき、フォークリフトでの荷積み等が可能となる。
【０００９】
このように、パネル水槽用架台をパレットとして利用することにより、従来のパレットが不要となり、パネル水槽の部材搬送を効率的に行うことができる。
【００１０】
請求項２に記載する本発明のパネル水槽用架台は、互いに隣り合う前記パネル部材で構成される側角部に沿って配置して前記隣り合うパネル部材同士を接合する角部接合部材を、前記支持面の外周端辺に沿って取り外し可能に取り付ける端辺取付部材、を備えたことを特徴とする。
【００１１】
パネル水槽の構成部品の１つとして、互いに隣り合うパネル部材で構成される側角部に沿って配置し、隣り合うパネル部材同士を接合する角部接合部材を用いることがある。この角部接合部材は、通常長尺であり、パネル部材と同時に搬送するためには、工夫が必要となる。
【００１２】
そこで、本発明では、パレットとして利用可能なパネル水槽用架台の支持部材に端辺取付部材を設け、端辺取付部材を用いて、角部接合部材を支持面の外周端辺に沿って取り外し可能に取り付ける。このように、角部接合部材を支持面の外周端辺に沿って取り付けることにより、パネル部材を支持部材の中央部分に配置しつつ、角部接合部材についても支持部材に取り付けて搬送することができる。
【００１３】
請求項３に記載する本発明のパネル水槽用架台は、前記角部接合部材が、互いに直交する２面を有する山型鋼で構成され、前記角部接合部材の一方面が前記支持面と向き合い、他方面が前記支持面から立ち上がって側壁を構成する配置となるように、前記端辺取付部材によって前記支持部材に取り付けられ、前記側壁に囲まれた内側には、前記パネル部材を積層収納可能な収納空間が構成されていること、を特徴とする。
【００１４】
山型鋼である角部接合部材を用いて、上記のように外周に壁面を構成し、その内側の収納空間にパネル部材を積層収納することにより、パネル部材の位置ずれが抑制され、パネル部材を安定して搬送することができる。
【００１５】
請求項４に記載する本発明のパネル水槽設置構造は、請求項１〜３のいずれか１項に記載のパネル水槽用架台と、前記パネル水槽用架台上に支持され、複数のパネル部材を接合して形成されたパネル水槽と、を備えている。
【００１６】
請求項４のパネル水槽設置構造によれば、パレットとして使用可能なパネル水槽用架台を備えているので、搬送の際に従来のパレットが不要となり、効率的にパネル水槽を設置することができる。
【００１７】
請求項５に記載する本発明のパネル水槽用部材搬送構造は、複数のパネル部材を接合して形成されるパネル水槽用の部材、及び、前記パネル水槽を支持するパネル水槽用架台、を搬送するパネル水槽用部材搬送構造であって、基準面上に配置されるベース部材と、前記ベース部から立ち上がる立上部と、前記立上部の上に配置され前記パネル水槽の底部の少なくとも外周下端辺を支持する支持面を有すると共に、前記基準面との間にフォークリフトのフォークを差し込み可能な空間を構成し、前記フォークによって支持される被支持部を有する支持部材と、を備えたパネル水槽用架台と、前記パネル水槽用架台の前記支持部材上に積層された前記複数のパネル部材と、前記積層された複数のパネル間に収納された水槽用部品と、前記支持部材の上面の外周端辺に沿って取り外し可能に取り付けられた、互いに隣り合う前記パネル部材同士を接合するための角部接合部材と、を備えている。
【００１８】
請求項５のパネル水槽用部材搬送構造では、パネル水槽用架台をパレットとして利用でき、従来のパレットなしでフォークリフトでの荷積み等が可能となる。また、支持部材上に複数のパネル部材を積層し、積層された複数のパネル間に水槽用部品を収納する。そして、パネル部材同士を接合するための角部接合部材を、支持部材の上面の外周端辺に沿って取り付ける。このように、パネル水槽用架台上に、パネル水槽の組み立てに必要な部材を配置することにより、効率よく、パネル水槽の部材搬送を行うことができる。
【発明の効果】
【００１９】
以上説明したように、本発明のパネル水槽用架台、パネル水槽設置構造、及び、パネル水槽用部材搬送構造によれば、効率よく、パネル水槽の部材搬送を行うことができる。
【図面の簡単な説明】
【００２０】
【図１】本発明の実施形態に係るパネル水槽用架台の斜視図である。
【図２】本発明の実施形態に係るパネル水槽用架台を用いたパネル水槽設置構造を示す斜視図である。
【図３】本発明の実施形態に係るパネル水槽用のパネル部材の接合構造を説明する斜視図である。
【図４】本発明の実施形態に係るパネル水槽用部材搬送構造を示す、分解斜視図である。
【図５】本発明の実施形態に係るパネル水槽用部材搬送構造における、角部接合部材の取付構造を説明する斜視図である。
【図６】本発明の実施形態に係るパネル水槽用部材搬送構造を示す斜視図である。
【図７】本発明の実施形態に係るパネル水槽用部材搬送構造を示す正面図である。
【図８】本発明の実施形態に係るパネル水槽用部材搬送構造における、角部接合部材の取付構造の変形例を説明する斜視図である。
【発明を実施するための形態】
【００２１】
本発明に係るパネル水槽用架台、パネル水槽設置構造、及び、パネル水槽用部材搬送構造について、図面に基づき説明する。
【００２２】
（パネル水槽用架台）
【００２３】
図１には、本実施形態のパネル水槽用架台１０が示されている。パネル水槽用架台１０は、略四角形の枠形状とされており、ベース部材１２、及び、支持部材１５を備えている。
【００２４】
ベース部材１２は、２本の長尺板部材が互いに平行に配置されて構成されている。ベース部材１２は、板面が基準面Ｇに配置される。支持部材１５は、立上部１４及び支持部１６を備えている。立上部１４は、ベース部材１２の一長辺と連接され、ベース部材１２と直交して基準面Ｇから立ち上がるように配置されている。立上部１４は板状で、ベース部材１２と一体的に構成されている。
【００２５】
支持部１６は、支持部１６Ａ、及び、支持部１６Ｂを備え、立上部１４の上部に配置され、四角形の枠形状を構成している。支持部１６Ａは、立上部１４の一長辺と連接され、立上部１４と直交すると共にベース部材１２と平行に配置されている。支持部１６Ａ、立上部１４、及び、ベース部材１２は一体的に構成されており、いわゆるＣ型鋼の両端面でベース部材１２、支持部１６Ａを構成し、Ｃ型鋼の中間部で立上部１４を構成することができる。
【００２６】
２本の支持部１６Ｂは、長尺板状とされ、端部が２本の支持部１６Ａの端部と各々連結されている。支持部１６Ｂの上面は、支持部１６Ａの上面と面一とされ、支持部１６Ａの上面、支持部１６Ｂの上面により、支持面１６Ｃが構成されている。
【００２７】
支持部１６Ｂは、被支持部１７を備えている。被支持部１７は、支持部１６Ｂの一長辺と連接され、支持部１６Ｂと直交して下側へ延出された構成とされている。支持部１６Ｂと被支持部１７とは一体的に構成されており、いわゆるＬ字鋼で構成することができる。被支持部１７の短手方向の長さ（幅）は、立上部１４の幅よりも距離Ｓだけ短く、ベース部材１２の載置される基準面Ｇと被支持部１７との間には、差込口１８が構成されている。差込口１８からは、フォークリフトのフォークＦが差し込み可能とされている。
【００２８】
支持部１６Ａ、支持部１６Ｂの長手方向中央部には、端辺取付部材２０が設けられている。端辺取付部材２０は、支持部１６Ａ、支持部１６Ｂから枠の外側に突出するように形成されている。各端辺取付部材２０には、搬送用穴２１Ａ、２１Ｂと、取付用穴２２が構成されている。搬送用穴２１Ａは、後述する角部接合部材３４の接合用穴３４Ｈに対応して構成されており、取付用穴２２は、パネル水槽３０を設置する際にパネル水槽用架台１０に固定するためのものである。
【００２９】
（パネル水槽、及び、パネル水槽設置構造）
次に、前述のパネル水槽用架台１０上に支持される、パネル水槽３０について説明する。パネル水槽３０は、図２に示すように、複数枚（本実施形態では６枚）のパネル部材３２を接合して構成されている。側面を構成する各々のパネル部材３２Ａは、四角形状とされ、４辺の各々から接合用のフランジ部３２Ｆが立設されている。フランジ部３２Ｆには、ポルト締結用の接合穴３２Ｈが複数構成されている。
【００３０】
パネル部材３２Ａは、図３にも示すように、角部接合部材３４を介して隣接するパネル部材３２Ａと接合されている。角部接合部材３４は、等辺山型鋼材で構成されており、互いに直交する第１面３４Ａと第２面３４Ｂを有している。角部接合部材３４の第１面３４Ａ及び第２面３４Ｂには、フランジ部３２Ｆの接合穴３２Ｈに対応する位置に、接合穴３４Ｈが構成されている。第１面３４Ａは、一方のパネル部材３２Ａのフランジ部３４Ｆと対向配置され、第２面３４Ｂは、他方のパネル部材３２Ａのフランジ部３４Ｆと対向配置されている。そして、ボルト／ナットＢが、外側（角部接合部材３４側）から接合穴３４Ｈ、接合穴３２Ｈに挿入、締結されることにより、隣接するパネル部材３２Ａ同士が接合されている。
【００３１】
パネル水槽３０の天面を構成するパネル部材３２Ｃには、円筒状の突出部３１が構成されている。突出部３１は、パネル部材３２Ｃの内側から見て凹状とされている。また、パネル水槽３０の底部を構成するパネル部材３２Ｂには、図３に示すように、凹部３３が構成されている。パネル部材３２Ｃは、パネル部材３２Ａの上部とボルト／ナットＢで接合され、パネル部材３２Ｂは、パネル部材３２Ａの下部とボルト／ナットＢで接合されている。
【００３２】
パネル水槽用架台１０は、基礎台５０上にベース部材１２が配置され、ベース部材１２は、ボルト５０Ｂにより、両端部が基礎台５０に固定されている。パネル水槽３０は、パネル水槽用架台１０の支持部材１５上に配置され、ボルト５２がパネル部材３２Ａの接合用穴（不図示）及びパネル水槽用架台１０の接合用穴２２に挿通、締結されて、固定される。
【００３３】
（パネル水槽用搬送構造）
次に、パネル水槽３０を構成する、パネル部材３２、角部接合部材３４、その他の部品、及び、パネル水槽用架台１０を搬送する際の搬送構造（パネル水槽用部材搬送構造６０）について説明する。
【００３４】
図４〜図７に示すように、前述のパネル水槽用架台１０は、ベース部材１２が下側、支持部材１５が上側となるように配置されている。角部接合部材３４は、パネル水槽用架台１０の支持部材１５に沿って、Ｌ字が外側に開くように、第１面３４Ａを支持面１６Ｃと対向して配置されている。支持面１６Ｃの幅方向内側部には、パネル部材３２を載置可能な幅Ｗが確保されている。そして、角部接合部材３４の長手方向中央の２つの接合穴３４Ｈと、端辺取付部材２０の搬送用穴２１Ａとに、ボルト２３Ｂが挿入されてナット２３Ｎと締結され、角部接合部材３４が支持面１６Ｃへ取り付けられている。これにより、角部接合部材３４の第２面３４Ｂで、支持面１６Ｃから立設された壁面が構成されている。第２面３４Ｂに囲まれた内側には、パネル部材３２を収納可能な収納空間３６Ｒが構成される。
【００３５】
収納空間３６Ｒの４角には、図６に示すように、角部カバー３８が立設されている。角部カバー３８は、断面Ｌ字状とされ、後述のように積層されるパネル部材３２の側角部を保護するように配置される。角部カバー３８は、段ボール紙などの、簡易な材料で構成すれば足りる。
【００３６】
収納空間３６Ｒの最下部へ、パネル部材３２のうちの側部を構成するパネル部材３２Ａの４枚が収納される。このとき、最下のパネル部材３２Ａは、下面の外周４辺が支持面１６Ｃの内側の幅Ｗの部分で支持され、４辺のフランジ部３２Ｆが角部接合部材３４の第２面３４Ｂの内側に嵌めこまれるように配置され、その上へ他の３枚のパネル部材３２Ａが積層される。
【００３７】
そして、図７に示すように、その上に、底部を構成するパネル部材３２Ｂが、凹部３３が上向きに開放されるように積層される。そして、その上に、スペーサーＰを介して、パネル部材３２Ｃが積層される。パネル部材３２Ｃは、突出部３１が下向きに開放されるように積層される。パネル部材３２Ｂとパネル部材３２Ｃとの間には、凹部３３と突出部３１とによって、空間４０が構成されている。空間４０には、パネル水槽３０に必要な部品が梱包された部品箱４２が収納されている。この状態において、図６に示すように、固定紐４４は、パネル部材３２とパネル水槽用架台１０とが締結されるよう鉛直方向及び水平方向に巻き回されている。
【００３８】
搬送を行う際には、上記のパネル水槽用部材搬送構造６０の、パネル水槽用架台１０の差込口１８にフォークリフトのフォークを差し込み、被支持部１７へフォークを当てて持ち上げる。
【００３９】
本実施形態のパネル水槽用架台１０は、支持部材１５にフォークリフトのフォークを差し込み可能な差込口１８が構成され、被支持部１７へフォークを当てて持ち上げて搬送することができるので、パネル水槽用架台１０をフォークリフト用パレットとして用いることができる。したがって、従来用いられていたパレットが不要となり、効率よく搬送を行うことができる。
【００４０】
また、パネル水槽用架台１０の支持面１６Ｃには、端辺取付部材２０が設けられているので、角部接合部材３４を支持面１６Ｃの外周端辺に沿って取り外し可能に取り付けることができる。このように、角部接合部材３４を支持面１６Ｃの外周端辺に沿って取り付けることにより、角部接合部材３４を支持部材１５に取り付けて搬送することができる。
【００４１】
また、山型鋼である角部接合部材３４の第２面３４Ｂを用いて、壁面を構成し、その内側の収納空間３６Ｒにパネル部材３２を積層収納することにより、パネル部材３２の位置ずれが抑制され、パネル部材３２等を安定して搬送することができる。
【００４２】
なお、本実施形態では、パネル水槽用架台１０へ角部接合部材３４を取り付けるために、支持面１６Ｃの中央部が外側に突出した端辺取付部材２０を形成したが、端辺取付部材２０に代えて、図８に示すように、支持部１６Ａの短手方向の幅を広くして、角部接合部材３４を取り付けるための接合穴２５Ａ、２５Ｂを構成してもよい。この場合には、接合穴２５Ａ、２５Ｂは、角部接合部材３４の端部寄りの接合穴３４Ｈに対応した位置に構成することが好ましい。角部接合部材３４を端部寄りの２箇所でパネル水槽用架台１０へ取り付けることにより、角部接合部材３４のガタつきを抑制して、安定した取り付けを行うことができる。
【符号の説明】
【００４３】
１０   パネル水槽用架台
１２   ベース部材
１４   立上部
１５   支持部材
１６Ａ 支持部
１６Ｂ 支持部
１６Ｃ 支持面
１７   被支持部
１８   差込口
２０   端辺取付部材
３０   パネル水槽
３２   パネル部材
３４   角部接合部材
３６Ｒ 収納空間
６０   パネル水槽用部材搬送構造
Ｇ     基準面
【図１】
2011111226.tif 000003
【図２】
2011111226.tif 000004
【図３】
2011111226.tif 000005
【図４】
2011111226.tif 000006
【図５】
2011111226.tif 000007
【図６】
2011111226.tif 000008
【図７】
2011111226.tif 000009
【図８】
2011111226.tif 000010